(57)【要約】【課題】ジャック本体に対する保護キャップの着脱作業が容易で且つ電線が端子板の圧接スリットに沿って抜けるのを防止することができるモジュラジャックの保護キャップの取付構造を提供する。【解決手段】ジャック本体Ａの両側面に突設した結合突起２７と保護キャップ３においてジャック本体Ａの両側面それぞれに沿って配置される結合片３２ｄに形成した結合孔３２ａとの凹凸係合により保護キャップ３がジャック本体Ａに結合されている。ジャック本体Ａの各結合突起２７には保護キャップ３側ほど側面からの突出量を小さくするように傾斜した誘導面２７ａが形成され、保護キャップ３には、互いに近づく向きに操作することによって各結合片３２ｄをジャック本体Ａの側面から離す向きへ変位させて結合孔３２ａと結合突起２７との凹凸係合を解除させる解除片３３が各結合片３２ｄそれぞれに一体に設けられている。【選択図】      図１
2005026017.tif 000002
【特許請求の範囲】
【請求項１】
プラグ挿入口から挿入されるモジュラプラグの接触子に接触可能な複数本のコンタクトおよび各コンタクトにそれぞれ電気的に接続されるとともに絶縁被覆電線である電線が接続される圧接スリットを有する複数の端子板が両側部に配設されたジャック本体と、ジャック本体のうち少なくとも端子板を設けた部位および端子板に接続する電線を配置する部位を覆うようにジャック本体に着脱自在に結合される保護キャップとを備え、ジャック本体の両側面に突設した結合突起と保護キャップにおいてジャック本体の両側面それぞれに沿って配置される結合片に形成した結合孔との凹凸係合により保護キャップがジャック本体に結合され、ジャック本体の各結合突起には保護キャップ側ほど側面からの突出量を小さくするように傾斜した誘導面が形成され、保護キャップには、互いに近づく向きに操作することによって各結合片をジャック本体の側面から離す向きへ変位させて結合孔と結合突起との凹凸係合を解除させる解除片が各結合片それぞれに一体に設けられてなることを特徴とするモジュラジャックの保護キャップの取付構造。
【請求項２】
前記保護キャップの両側面であって前記解除片それぞれの両隣りに位置する各部位には、前記ジャック本体から離れるほど前記保護キャップの幅寸法を小さくするように傾斜した傾斜面が形成されてなることを特徴とする請求項１記載のモジュラジャックの保護キャップの取付構造。
【請求項３】
前記保護キャップは、前記各解除片の移動範囲を規制する壁が設けられてなることを特徴とする請求項１または請求項２記載のモジュラジャックの保護キャップの取付構造。
【請求項４】
前記解除片における操作面に指で操作する際の滑り止め用の凹凸が設けられてなることを特徴とする請求項１ないし請求項３のいずれかに記載のモジュラジャックの保護キャップの取付構造。
【発明の詳細な説明】
【０００１】
【発明の属する技術分野】
本発明は、圧接スリットを有する端子板を備え絶縁被覆電線である電線を端子板の圧接スリットに押し込んで接続するようにしたモジュラジャックの保護キャップの取付構造に関するものである。
【０００２】
【従来の技術】
従来から、情報通信用のケーブルとして複数対のツイストペア線をシースに収納したツイストペアケーブルが広く用いられており、ツイストペアケーブルを接続する端子台を備えたモジュラジャックが提供されている。この種の端子台としては、圧接スリットを有する端子板を設けたもの（１１０ブロック型と称される）が知られている。端子板は一つの周縁に開放された圧接スリットを有する二股のフォーク状に形成されたものであり、ツイストペアケーブルを構成する各電線を圧接スリットに圧入すると、圧接スリットの周縁で電線の絶縁被覆が切られ、圧接スリットの周縁に心線が圧接されるようになっている。
【０００３】
ところで、この種のモジュラジャックでは、各端子板それぞれへ電線を接続した後のツイストペアケーブルの取り扱いによって端子板から電線が外れてしまうことがある。例えば、端子台の両側部に端子板が配設され両側部の間の部位に各端子板に接続された電線が配置される構造のモジュラジャックでは、図９に示すようにジャック本体Ａ’における端子台２’を支点としてツイストペアケーブル４を回動させるような力が作用したときに電線が圧接スリットに沿って抜けてしまうことがある。図９中の４ａは、ツイストペアケーブル４のシースを示している。
【０００４】
なお、端子板への電線の接続後に電線が外れるのを防止するために、圧接スリットに圧入された電線を押える複数の止め片を有する保護キャップを端子台に結合したモジュラジャックも提案されている（例えば、特許文献１参照）。ここにおいて、特許文献１における保護キャップは、端子台の両側面に沿って配置される一対の脚片を備え、端子台の両側面に突設された結合爪が係合する係合凹所が両脚片の内側面に形成されている。したがって、上記特許文献１に開示された保護キャップの取付構造では各端子板にそれぞれ接続された電線が圧接スリットに沿って抜けるの保護キャップによって防止することができる。
【０００５】
【特許文献１】
特開平５−１３１２４号公報（第３頁−第４頁、図１−図４）
【０００６】
【発明が解決しようとする課題】
ところで、端子板から電線が外れないように保護キャップと端子台との結合力を高めると、施工時や再施工時などに保護キャップを端子台から取り外す際に比較的大きな力が必要となる。すなわち、ジャック本体に対する保護キャップの結合力を高くするというニーズと、ジャック本体からの保護キャップの取り外し作業を容易にするというニーズは相反するものである。ここに、上記特許文献１における保護キャップの取付構造では、ジャック本体に対する保護キャップの結合力を比較的大きくすることができるものの、ジャック本体から保護キャップを取り外す際に、保護キャップに突設された脚片と端子台との間にマイナスドライバの先端部などを挿入してこじる必要があった。
【０００７】
本発明は上記事由に鑑みて為されたものであり、その目的は、ジャック本体に対する保護キャップの着脱作業が容易で且つ電線が端子板の圧接スリットに沿って抜けるのを防止することができるモジュラジャックの保護キャップの取付構造を提供することにある。
【０００８】
【課題を解決するための手段】
請求項１の発明は、プラグ挿入口から挿入されるモジュラプラグの接触子に接触可能な複数本のコンタクトおよび各コンタクトにそれぞれ電気的に接続されるとともに絶縁被覆電線である電線が接続される圧接スリットを有する複数の端子板が両側部に配設されたジャック本体と、ジャック本体のうち少なくとも端子板を設けた部位および端子板に接続する電線を配置する部位を覆うようにジャック本体に着脱自在に結合される保護キャップとを備え、ジャック本体の両側面に突設した結合突起と保護キャップにおいてジャック本体の両側面それぞれに沿って配置される結合片に形成した結合孔との凹凸係合により保護キャップがジャック本体に結合され、ジャック本体の各結合突起には保護キャップ側ほど側面からの突出量を小さくするように傾斜した誘導面が形成され、保護キャップには、互いに近づく向きに操作することによって各結合片をジャック本体の側面から離す向きへ変位させて結合孔と結合突起との凹凸係合を解除させる解除片が各結合片それぞれに一体に設けられてなることを特徴とする。
【０００９】
この発明によれば、ジャック本体の各結合突起に保護キャップ側ほど側面からの突出量を小さくするように傾斜した誘導面が形成されているので、保護キャップをジャック本体に結合する際には保護キャップをジャック本体に近づけるように比較的小さな力を作用させるだけで保護キャップの結合片の結合孔とジャック本体の結合突起とを凹凸係合させることができるから、保護キャップをジャック本体に対して簡単に取り付けることができ、また、保護キャップがジャック本体に取り付けられた状態では保護キャップがジャック本体から離れる向きの力が作用しても結合孔の内周面に結合突起が当接することで保護キャップがジャック本体から外れるのを防止することができて電線が圧接スリットに沿って抜けるのを防止することができ、しかも、保護キャップには互いに近づく向きに操作することによって各結合片をジャック本体の側面から離す向きへ変位させて結合孔と結合突起との凹凸係合を解除させる解除片が各結合片それぞれに一体に設けられているので、保護キャップをジャック本体から取り外す際には、保護キャップに設けた解除片を操作することで結合孔と結合突起との凹凸係合を解除することができるから、結合孔と結合突起との凹凸係合を解除させた状態で保護キャップをジャック本体から引き離す向きの力を作用させることにより保護キャップをジャック本体から取り外すことができ、ジャック本体から保護キャップを取り外す作業が容易になる。
【００１０】
請求項２の発明は、請求項１の発明において、前記保護キャップの両側面であって前記解除片それぞれの両隣りに位置する各部位には、前記ジャック本体から離れるほど前記保護キャップの幅寸法を小さくするように傾斜した傾斜面が形成されてなることを特徴とする。
【００１１】
この発明によれば、前記解除片を互いに近づける向きに操作する際に指全体で前記保護キャップの両側を押しても前記解除片を押すことが可能となるので、前記解除片の操作が容易になる。
【００１２】
請求項３の発明は、請求項１または請求項２の発明において、前記保護キャップは、前記各解除片の移動範囲を規制する壁が設けられてなることを特徴とする。
【００１３】
この発明によれば、前記各解除片が過度に移動することによる前記保護キャップの破損を防止することができる。
【００１４】
請求項４の発明は、請求項１ないし請求項３の発明において、前記解除片における操作面に指で操作する際の滑り止め用の凹凸が設けられてなることを特徴とする。
【００１５】
この発明によれば、前記解除片を操作する際に指が滑るのを防止することができ、前記ジャック本体から前記保護キャップを取り外す作業がより簡単になる。
【００１６】
【発明の実施の形態】
以下、本実施形態におけるモジュラジャックについて図１ないし図８を参照しながら説明する。
【００１７】
本実施形態におけるモジュラジャックは、モジュラプラグ（図示せず）を挿入するプラグ挿入口１１ａが開口するハウジング１と、プラグ挿入口１１ａの中に配列されモジュラプラグの接触子に接触可能な複数本（本実施形態では８本）の線状のコンタクト１３と、各コンタクト１３にそれぞれ電気的に接続されるとともに絶縁被覆電線である電線が接続される複数枚（本実施形態では８枚）の端子板（図示せず）が立設されハウジング１に結合された端子台２とを有するジャック本体Ａを備え、端子台２のうち少なくとも端子板を設けた部位および端子板に接続する電線（図示せず）が配置される部位を覆う保護キャップ３が着脱自在に結合されている。
【００１８】
ハウジング１は、絶縁性を有する合成樹脂により形成されており、直方体状の接続台１１を備え、接続台１１の一面に上記プラグ挿入口１１ａが開口する。以下では、接続台１１においてプラグ挿入口１１ａが開口する面を前面とし、図１における上下方向を用いて上下方向を規定する。接続台１１の後面下部からは端子台２を結合する基台１２が後方へ連続一体に突設されている。
【００１９】
端子台２は基台１２の上面側に配設されており、各端子板は端子台２の上面から突出している。ここに、８枚の端子板は端子台２の左右両側部において４個ずつ前後方向に沿って配置されている。また、各端子板は上縁に開放された圧接スリットを有する二股のフォーク状に形成されており、厚み方向が端子台２の左右方向に一致するように配置されている。なお、圧接スリットの幅は接続する電線の芯線に圧接スリットの両側縁が圧接する程度に設定されている。したがって、絶縁被覆を有する電線を上方から圧接スリットに圧入すると、電線の絶縁被覆が圧接スリットの両側縁で切られ、圧接スリットの中で芯線が端子板に圧接するのである。
【００２０】
ところで、端子台２の上面の左右両側部には上面からの突出寸法が端子板よりも大きい複数の保護壁２３が前後方向に並んで突設されている。ここに、端子板は、前後に隣り合う保護壁２３の間に圧接スリットを対応させるように配置されている。なお、前後方向に隣り合う各一対の保護壁２３の互いの対向面には、端子板を保持する保持溝２３ｂが上下方向に沿って形成されている。
【００２１】
また、前後に隣り合う各一対の保護壁２３の間の隙間の寸法は、電線を挿入できるように各一対の保護壁２３間の隙間の寸法を設定してある。ただし、各一対の保護壁２３間の隙間の寸法は圧接スリットの幅寸法に比べて広く、しかも、各一対の保護壁２３の上端部では上部ほど隙間の寸法を広くするように傾斜した傾斜面が形成されており、ツイストペアケーブル４（図９参照）の電線を各一対の保護壁２３の間の隙間に導入しやすくなっている。したがって、電線を各一対の保護壁２３の間の隙間に上方から導入し、電線を圧接スリットに対して上方から圧入することによって電線と端子板との電気的接続が容易に行えるようになっている。なお、本実施形態における各一対の保護壁２３は、端子板を保護する保護部材として機能するだけではなく、端子板の圧接スリットに電線を導くガイド部材として機能する。また、前後方向の真ん中に位置する各保護壁２３の前後方向の幅寸法は、他の保護壁２３の前後方向の幅寸法に比べて大きく設定してある。
【００２２】
また、端子台２の上面には、左右方向の中央部にツイストペアケーブル４のシース４ａ（図９参照）を位置決めする位置決め凹部２２が形成されており、前後方向における１番後の左右の保護壁２３における互いの対向面には、位置決め凹部２２との間にツイストペアケーブル４を保持する保持突起２６がそれぞれ突設されている。
【００２３】
ところで、端子台２の前後方向における真ん中の各保護壁２３の外側面には保護キャップ３を結合するための結合突起２７が突設されており、端子台２に対して保護キャップ３が着脱可能に結合されている。なお、結合突起２７の上部には、上端縁に近づく（つまり、保護キャップ３に近づく）ほど外側面からの突出量を小さくするように傾斜した誘導面２７ａが形成されている。
【００２４】
これに対し、保護キャップ３は、絶縁性を有する合成樹脂の成形品であって、端子台２の上面を覆う程度の寸法に形成されたキャップ本体３１の左右両側の下端縁から、複数の案内壁２３の外側面に跨って配置される側片３２が延設されている。ここにおいて、側片３２の前後方向の中央部には結合突起２７が凹凸係合する矩形状の結合孔３２ａが形成されている。また、各側片３２は、前後方向における結合孔３２ａの両側に下縁が開放された切込溝３２ｂが形成されるとともに、前後方向において切込溝３２ｂよりも結合孔３２ａから離れた部位に上縁が開放された切込溝３２ｃが形成されており、側片３２のうち前後方向において隣り合う切込溝３２ｂ，３２ｃ間の部位が撓みやすくなっている。要するに、側片３２は、前後方向において隣り合う一対の切込溝３２ｂ間の部位に結合孔３２ａが形成されており、切込溝３２ｂ間の部位が端子台２へ結合するための結合片３２ｄを構成している。
【００２５】
また、各側片３２において前後両側の切込溝３２ｃ間の部位の上端縁からは結合孔３２ａと結合突起２７との凹凸係合を解除する際に操作する解除片３３が上方へ延設されており（つまり、保護キャップ３は解除片３３が結合片３２ｄに一体に設けられており）、キャップ本体３１の左右両側面には解除片３３に対応する部位に解除片３３の移動範囲を確保する切欠部３１ａが形成されている。このように、キャップ本体３１の左右両側面に切欠部３１ａを形成していることにより、解除片３３を互いに近づける向きに操作できるようになっており、左右一対の解除片３３を互いに近づける向きに操作することによって、結合片３３ｄを案内壁２３の外側面から離す向き（案内壁２３の外側面に交差する向き）に変位させることで結合片３３ｄの結合孔３３ａと結合突起２７との凹凸係合を解除させることができるのである。
【００２６】
以上説明した保護キャップ３をジャック本体Ａの端子台２に取り付ける際には、端子台２の上方から保護キャップ３を端子台２に近づけることによって、結合片３２ｄが結合突起２７の誘導面２７ａに沿って撓み、最終的に結合片３２ｄに設けた結合孔３２ａに結合突起２７が凹凸係合する（図４（ａ）参照）ことで、保護キャップ３が端子台２に結合される。要するに、保護キャップ３を端子台２に近づけるように力を作用させるだけで結合片３２ｄの結合孔３２ａと端子台２の結合突起２７とを凹凸係合させることができ、比較的小さな力で端子台２へ保護キャップ３を取り付けることができる。ここに、保護キャップ３が端子台２へ取り付けられた状態では、例えばツイストペアケーブル４の取り扱いによって、保護キャップ３に端子台２から離れる向き（図４（ａ）中に矢印で示した向き）の力が作用しても、結合片３２ｄの内周面が結合突起２７に当接して保護キャップ３が端子台２から外れないようになっている。すなわち、端子台２に対する保護キャップ３の結合力が比較的大きくなっている。
【００２７】
ところで、上述の電線は撓みやすく端子板の圧接スリットへ手で圧入するのが困難であるから、端子板の圧接スリットへの電線の圧入作業を容易にするために、本実施形態では保護キャップ３を端子台２から取り外した状態において複数の端子板から択一的に選択した１つの端子板の圧接スリットに１本の電線を押し込んで電気的に接続させる簡易工具部３５が保護キャップ３に突設してある。ここにおいて、簡易工具部３５は、下縁に開放された挿入溝３５ａを有する二股のフォーク状に形成されており、幅方向の両側縁には他の部位に比べて圧肉の補強部３５ｂが形成されている。なお、補強部３５ｂ間の寸法は、左右方向における保護壁２３の幅と略同じ寸法に設定され、補強部３５ｂの前後方向の寸法は前後方向において隣り合う一対の保護壁２３間の寸法よりもやや広く設定されている。
【００２８】
したがって、電線を前後方向において隣り合う一対の保護壁２３間の隙間に導入した状態で、保護キャップ３の簡易工具部３５を一対の保護壁２３の間の隙間に端子板と交差する形で配置して（このとき、保護壁２３は左右一対の補強部３５ｂにより挟まれる）、キャップ本体３１の上面（つまり、保護キャップ３の表面）に指（例えば、親指）の腹を乗せて下方へ押圧すると、簡易工具部３５によって電線が押圧され端子板の圧接スリットに電線が圧入される。このような作業を端子板ごとに個別に行うことにより、すべての端子板に電線を圧入することができる。しかも、保護キャップ３を端子台２から取り外した状態では、市販されているインパクトツール７によって端子板に電線を接続することも可能になっている。
【００２９】
また、保護キャップ３は、キャップ本体３１により端子台２を覆ったときに隣り合う一対の保護壁２３間の隙間に導入され電線を圧入スリットへ押し込み可能とする８つの成端部３７が突設されている。すなわち、保護キャップ３は、キャップ本体３１の下面側において左右それぞれに４つの成端部３７が突設されており、各成端部３７は、各端子板それぞれに対応する位置に突設されているので、左右４個ずつの端子板（つまり、８個の端子板）の圧接スリットに電線を同時に圧入することもでき、プライヤのような汎用工具を用いて全ての端子板に電線を同時に押し込む結線作業を行うことも可能となるから、結線作業の方法の選択肢が多くなる。なお、成端部３７には、端子板の上端部が挿入される挿入溝３７ａが形成されている。したがって、圧接スリットへ電線が圧入されている状態において保護キャップ３が電線を押さえていることによって、電線が端子板の圧接スリットに沿って抜けるのを防止することができ、しかも、保護キャップ３が端子板を覆うことによって端子板が保護されることになる。
【００３０】
要するに、本実施形態の構成を採用することによって、結線作業の方法を必要に応じて選択することができるのである。なお、保護キャップ３は、表面を押圧する際に指の腹を乗せるくぼみ３１ｂがキャップ本体３１の表面に形成されているので、結線作業時に保護キャップ３の表面を押圧する際に指への負担を軽減することができる。また、保護キャップ３は、保護キャップ３を端子台２に取り付けた状態で各電線が配置されない位置に簡易工具部３５が突設されているので、結線作業の終了後に保護キャップ３を端子台２に取り付けたときに簡易工具部３５が各電線に当たるのを防止することができる。
【００３１】
ところで、保護キャップ３を端子台２から取り外す際には、図５中に矢印で示すように解除片３３を近づける向きに操作することによって結合片３２を保護壁２３の外側面から離す向きの力を作用させることができ、図４（ｂ）に示すように結合突起２７と結合孔３２ａとの凹凸係合を解除することができるので、結合突起２７と結合孔３２ａとの凹凸係合を解除した状態で保護キャップ３を端子台２から離す向き（図４（ｂ）中の矢印で示す向き）へ移動させることにより、端子台２から保護キャップ３を容易に外すことができる。また、保護キャップ３は、解除片３３において解除時に操作される操作面３３ａに指で操作する際の滑り止め用の凹凸が形成されているので、解除片３３を操作する際に操作面３３ａで指が滑るのを防止することができ、端子台２から保護キャップ３を取り外す作業がより簡単になる。ここに、解除片３３の操作面３３ａは、上下方向において凹凸が繰り返されている。なお、解除片３３の操作面３３ａは断面鋸刃状に形成されている。
【００３２】
また、解除片３３の操作面の面積は比較的小さく指先で押えることができる程度の大きさなので、操作しずらい場合がある。そこで、保護キャップ３の両側面であって解除片３３それぞれの両隣りに位置する各部位には、端子台２から離れる（つまり、ジャック本体Ａから離れる）ほど保護キャップ３の幅寸法を小さくするように傾斜した傾斜面３１ｄを形成してある。ここに、左右方向における傾斜面３１ｄ間の距離は解除片３３間の距離よりも小さく設定されている。しかして、左右一対の解除片３３を互いに近づける向きに操作する際に指全体で保護キャップ３の両側を押しても解除片３３を押すことが可能となるので、解除片３３の操作が容易になる。
【００３３】
また、解除片３３を互いに近づける向きに操作する際の各解除片３３の移動量（つまり、各解除片３３の押し込み量）が大き過ぎると、側片３２とキャップ本体３１とを連結している部分（例えば、連結片３１ｅなど）や結合片３２に連結されている部分が破損してしまう恐れがある。しかしながら、本実施形態では、保護キャップ３のキャップ本体３１において切欠部３１ａに対応する部分の壁（つまり、解除片３３の厚み方向において解除片３３に対向する壁）が解除片３３の移動範囲を規制する壁を構成しているので、解除片３３が過度に移動することによる保護キャップ３の破損を防止することができる。
【００３４】
【発明の効果】
請求項１の発明では、ジャック本体の各結合突起に保護キャップ側ほど側面からの突出量を小さくするように傾斜した誘導面が形成されているので、保護キャップをジャック本体に結合する際には保護キャップをジャック本体に近づけるように比較的小さな力を作用させるだけで保護キャップの結合片の結合孔とジャック本体の結合突起とを凹凸係合させることができるから、保護キャップをジャック本体に対して簡単に取り付けることができるという効果があり、また、保護キャップがジャック本体に取り付けられた状態では保護キャップがジャック本体から離れる向きの力が作用しても結合孔の内周面に結合突起が当接することで保護キャップがジャック本体から外れるのを防止することができて電線が圧接スリットに沿って抜けるのを防止することができるという効果があり、しかも、保護キャップには互いに近づく向きに操作することによって各結合片をジャック本体の側面から離す向きへ変位させて結合孔と結合突起との凹凸係合を解除させる解除片が各結合片それぞれに一体に設けられているので、保護キャップをジャック本体から取り外す際には、保護キャップに設けた解除片を操作することで結合孔と結合突起との凹凸係合を解除することができるから、結合孔と結合突起との凹凸係合を解除させた状態で保護キャップをジャック本体から引き離す向きの力を作用させることにより保護キャップをジャック本体から取り外すことができ、ジャック本体から保護キャップを取り外す作業が容易になるという効果がある。
【００３５】
請求項２の発明では、前記解除片を互いに近づける向きに操作する際に指全体で前記保護キャップの両側を押しても前記解除片を押すことが可能となるので、前記解除片の操作が容易になるという効果がある。
【００３６】
請求項３の発明では、前記各解除片が過度に移動することによる前記保護キャップの破損を防止することができるという効果がある。
【００３７】
請求項４の発明では、前記解除片を操作する際に指が滑るのを防止することができ、前記ジャック本体から前記保護キャップを取り外す作業がより簡単になるという効果がある。
【図面の簡単な説明】
【図１】実施形態のモジュラジャックにおいてジャック本体から保護キャップを取り外した状態の斜視図である。
【図２】同上においてジャック本体に保護キャップを取り付けた状態の斜視図である。
【図３】同上に用いる保護キャップを示し、（ａ）は平面図、（ｂ）は斜視図である。
【図４】同上に用いる保護キャップを示し、（ａ）は斜視図、（ｂ）はジャック本体に結合した状態の要部断面図である。
【図５】同上における説明図である。
【図６】同上に用いる保護キャップの説明図である。
【図７】同上に用いる保護キャップの要部斜視図である。
【図８】同上に用いる保護キャップの要部正面図である。
【図９】従来例の説明図である。
【符号の説明】
Ａ  ジャック本体
１  ハウジング
２  端子台
３  保護キャップ
４  ツイストペアケーブル
４ａ  シース
１１ａ  プラグ挿入口
１３  コンタクト
２３  保護壁
２３ｂ  保持溝
２７  結合突起
２７ａ  誘導面
３１  キャップ本体
３２  側片
３２ａ  結合孔
３２ｄ  結合片
３３  解除片
３３ａ  操作面
【図１】
2005026017.tif 000003
【図２】
2005026017.tif 000004
【図３】
2005026017.tif 000005
【図４】
2005026017.tif 000006
【図５】
2005026017.tif 000007
【図６】
2005026017.tif 000008
【図７】
2005026017.tif 000009
【図８】
2005026017.tif 000010
【図９】
2005026017.tif 000011